(57)【要約】【課題】安価な工事費で安価に維持管理可能が複合集水装置を提供する。【解決手段】複合集水装置（１）は、淺層地下水（２）から取水する淺層用井戸（３）と、深層地下水（４）から取水する少なくとも一つの深層用井戸（５）と、を備え、深層用井戸の深層用井筒（９）は淺層用井戸の淺層用井筒（６）と連通しており、深層用井戸によって取水される深層水は淺層用井筒を通って取水されることを特徴とする。【選択図】図１
0003193452.tif 000002
【実用新案登録請求の範囲】
【請求項１】
淺層地下水から取水する淺層用井戸と、
深層地下水から取水する少なくとも一つの深層用井戸と、
を備え、
前記深層用井戸の深層用井筒は前記淺層用井戸の淺層用井筒と連通しており、前記深層用井戸によって取水される深層水は前記淺層用井筒を通って取水される
ことを特徴とする複合集水装置。
【請求項２】
前記深層用井筒は前記淺層用井筒のほぼ垂直下方位置に配設されている
ことを特徴とする請求項１に記載の複合集水装置。
【請求項３】
前記淺層用井戸と前記深層用井戸の吸水ポンプの電源は共通の建屋に配設されている
ことを特徴とする請求項１または２のいずれか１項に記載の複合集水装置。
【考案の詳細な説明】
【技術分野】
【０００１】
本考案は地下水を取水するための複合集水装置に係り、特に、淺層地下水と深層地下水とを取水する複合集水装置に関する。
【背景技術】
【０００２】
従来、地下水或いは伏流水を取水する方式としては、淺層地下水を取水する浅井戸と深層地下水を取水する深井戸について個別的に種々提案されている。
【０００３】
また、特に、地方自治体の水道事業所（水道水源・工業用水等）における取水する方式としては、浅井戸（浅層地下水）と、深井戸（深層地下水）からの取水は別々に離れた地区に設置しているのが現状であり、仮に浄水場内の敷地面積が広い場合では浅井戸から離れた位置の隅々に複数の深井戸を設置している。
【先行技術文献】
【特許文献】
【０００４】
【特許文献１】特開昭６０−１２３６３６号公報
【特許文献２】特開２００８−３８４１２号公報
【考案の概要】
【考案が解決しようとする課題】
【０００５】
浅井戸が設置された浄水場から離れた地区に深井戸を設置する場合には、取水するための水中ポンプや電気設備を個別的に施設を設ける必要があり、また、送配水管においては近くの浄水場か配水地まで配管することになるため工事費の割高と同時に維持管理費が嵩むという問題がある。
【０００６】
そこで本考案の目的は、上記従来技術の有する問題を解消し、安価な工事費で安価に維持管理可能が複合集水装置を提供することである。
【課題を解決するための手段】
【０００７】
上記課題を解決するために、本考案に係る複合集水装置は、淺層地下水から取水する淺層用井戸と、深層地下水から取水する少なくとも一つの深層用井戸と、を備え、前記深層用井戸の深層用井筒は前記淺層用井戸の淺層用井筒と連通しており、前記深層用井戸によって取水される深層水は前記淺層用井筒を通って取水されることを特徴とする。
【０００８】
また、前記深層用井筒は前記淺層用井筒のほぼ垂直下方位置に配設されていることを特徴とする。
【０００９】
また、前記淺層用井戸と前記深層用井戸の吸水ポンプの電源は共通の建屋に配設されていることを特徴とする。
【考案の効果】
【００１０】
本考案によれば、深層用井戸によって取水される深層水は前記淺層用井筒を通って取水されるので、大量の取水が可能となると同時に電気設備等も複数に設置することなく維持管理費等の軽減を図ることが可能になる。
【図面の簡単な説明】
【００１１】
【図１】本考案における複合集水装置の一例を示す図。
【図２】複合集水装置に適用可能な淺層用井戸の一例を示す図。
【図３】複合集水装置に適用可能な淺層用井戸の他の例を示す図。
【図４】複合集水装置に適用可能な淺層用井戸の他の例を示す図。
【図５】複合集水装置に適用可能な淺層用井戸の他の例を示す図。
【図６】複合集水装置に適用可能な深層用井戸の他の例を示す図。
【図７】複合集水装置に適用可能な深層用井戸の他の例を示す図。
【考案を実施するための形態】
【００１２】
以下に図面を参照して本考案の実施の形態に係る複合集水装置について説明する。複合集水装置１は、淺層地下水２から取水する淺層用井戸３と、深層地下水４から取水する深層用井戸５とを備えている。
【００１３】
淺層用井戸３は、取水した水を貯水する淺層用井筒６と、淺層地下水２から取水するための集水管７と、淺層用井筒６内に設置された淺層用水中ポンプ８を備えている。
【００１４】
深層用井戸５は、ケーシング管である深層用井筒９と、深層地下水４から取水するための集水装置１０と、深層用井筒９内に設置された深層用水中ポンプ１１を備えている。深層用井筒９の上部は淺層用井筒６の底部に連結されている。
【００１５】
深層用井筒９は淺層用井筒６のほぼ垂直下方位置に配設されている。このようなことを可能にするために、淺層地下水２の水源位置と深層地下水４の水源位置との位置関係を予め調査しておく。なお、深層用井筒９と淺層用井筒６が必ずしも垂直な位置関係にならない場合には、深層用井筒９と淺層用井筒６との間に送水用連結管を接続して連結すればよい。
【００１６】
淺層用水中ポンプ８の配線７ａと深層用水中ポンプ１１の配線１１ａは、地上に設けられた共通の設備室１２にある電源に接続されている。
【００１７】
深層用井筒９は淺層用井筒６と連通しており、深層用井筒９によって取水される深層水は淺層用井筒５を通って汲み上げられることになる。この結果、淺層用井戸３によって淺層地下水２から取水した水と、深層用井戸５によって深層地下水４から取水した水とは、淺層用井筒６に取り付けられた共通の汲み上げ管１３によって設備室１２を経て貯水場へ送られる。
【００１８】
なお、図１においては、複合集水装置１が一つの深層用井戸５を有する場合を示したが、複数の深層用井戸５を一つの淺層用井戸３に連結するようにしてもよい。
【００１９】
次に、複合集水装置１に適用可能な種々の淺層用井戸３と深層用井戸５とについて説明する。本願考案に係る複合集水装置１は、以下に例示する淺層用井戸３と深層用井戸５の種々の組合せで構成することが可能である。
【００２０】
図２に示す淺層用井戸３は、淺層用井筒６の底部６ａの玉石砂利１６を介して取水している。ＧＬは地表を示し、符合１７は自然水位を示し、符合１８は帶水層を示し、符合１５は不透水層を示す。淺層用井筒６は約９．５ｍの深さを有し、約５ｍの内径を有する。不透水層９は例えば地表ＧＬから１０ｍの深さにあり、淺層用井筒６の底部は不透水層９から約０．５ｍ上方にあり、自然水位１７は地表ＧＬから３ｍの深さにある。
【００２１】
図３に示す淺層用井戸３は、淺層用井筒６の側壁に集水孔１９を複数設け、淺層用井筒６の底部６ａにある玉石砂利１６と集水孔１９との両面から取水しているものである。
【００２２】
図４に示す淺層用井戸３は、淺層用井筒６から導水管７’による埋渠方式の取水手法に係る井戸である。符合２０は水中コンクリートを示す。
【００２３】
図５に示す淺層用井戸３は、淺層用井筒６内から集水管７を放射状に配設した井戸であり、放射状集水井あるいは通称で満洲井戸と呼ばれているものである。
【００２４】
次に、図６及び図７に複合集水装置１に適用可能な深層用井戸５について例示し説明する。  
図６に示す深層用井戸５は、ケーシング管としての深層用井筒９はφ３００〜５００ｍｍ程度の口径を有し、深層用井筒９には丸穴２２、方形状のスリット２３及び巻線型の線状スリット２４が貫通して形成されている。深層用井戸５は、例えば地表ＧＬから５０ｍ〜１００ｍの深さにある帯水地層中から取水する。
【００２５】
図７に示す深層用井戸５は、通称ＡＳスクリーンと呼ばれる井戸であり、ケーシング管である深層用井筒９の下方部には円盤状の集水装置１０が設置されている。集水装置１０は口径φ８００〜１５００ｍｍを有し、それに見合う例えばφ８００〜２０００ｍｍの大口径の掘削口が掘削される。符合１０ａは取水窓、符合２５は落下防止板、符合２６は金網、符合２７は充填砂利、符合２８はボトム、符合２９は掘削孔、符合３０は遮水コンクリートを示す。
【００２６】
複合集水装置１に適用可能な種々の淺層用井戸３と深層用井戸５としては、図２〜図７に示したものは例示であり、個別的に淺層用井戸３あるいはは深層用井戸５として機能するものであればさらに他の井戸でもよい。
【００２７】
本実施の形態の複合集水装置によれば、深層用井戸５の深層用井筒９は淺層用井戸３の淺層用井筒６と連通しており、深層用井戸５によって取水される深層水は淺層用井筒９を通って取水されるので、淺層用井戸３と深層用井戸５との両方から取水することによって大量の取水が可能となり、また設備の共通化を図ることができるので電気設備等も複数に設置することなく維持管理費等の軽減を図ることが可能になる。
【００２８】
また、一つの淺層用井戸３に複数の深層用井戸５を連結する場合には、さらに大量の取水が可能となる。
【００２９】
また、深層用井筒９を淺層用井筒６のほぼ垂直下方位置に配設することによって、深層用井戸５によって取水される深層水を効率的に淺層用井筒９へ送ることが可能になる。
【符号の説明】
【００３０】
１  複合集水装置
２  淺層地下水
３  淺層用井戸
４  深層地下水
５  深層用井戸
６  淺層用井筒
８  淺層用水中ポンプ
９  深層用井筒
１１  深層用水中ポンプ
【図１】
0003193452.tif 000003
【図２】
0003193452.tif 000004
【図３】
0003193452.tif 000005
【図４】
0003193452.tif 000006
【図５】
0003193452.tif 000007
【図６】
0003193452.tif 000008
【図７】
0003193452.tif 000009